(57)【要約】      （修正有）【課題】低コストで強度を高めつつ、組み立てや取り扱いが容易で、雪止め機能の向上が図られ、屋根を流れる雨水・融雪水をコントロール可能な雪止め部材を提供すること。【解決手段】雪止め部材は、長尺の略四角錐体の木材１０と、裾部を有する断面略下向きコ字状の長尺のガルバリウム鋼板３０（登録商標）と該ガルバリウム鋼板（登録商標）の外面を覆う第一の防水シート４０と、断面略Ｓ字状の補強金属板２０とからなり、前記木材は、傾斜屋根面に敷設された第二の防水シート６０上に、前記傾斜屋根面の傾斜方向に対して所定の角度で横長の状態で載置され、前記傾斜屋根面に第一の固定具で固定され、前記補強金属板は、前記木材の一部を覆い、前記木材に第二の固定具で固定される。【選択図】図３
2020063591.tif 000002
【特許請求の範囲】
【請求項１】
長尺の略四角錐体の木材と、裾部を有する断面略下向きコ字状の長尺のガルバリウム鋼板（登録商標）と該ガルバリウム鋼板（登録商標）の外面を覆う第一の防水シートと、断面略Ｓ字状の補強金属板とからなり、
前記木材は、傾斜屋根面に敷設された第二の防水シート上に、前記傾斜屋根面の傾斜方向に対して所定の角度で横長の状態で載置され、前記傾斜屋根面に第一の固定具で固定され、
前記補強金属板は、前記木材の一部を覆い、前記木材に第二の固定具で固定され、かつ、前記第二の防水シートに当接する面が前記傾斜屋根面に第三の固定具で固定され、
前記ガルバリウム鋼板（登録商標）および前記第一の防水シートは、前記ガルバリウム鋼板（登録商標）の前記断面略下向きコ字状の内部に前記木材および前記補強金属板を収納するように覆い、かつ、前記第一の防水シートは、前記木材の前記横長の状態における左右側面も覆い、
前記ガルバリウム鋼板（登録商標）の前記裾部および前記第一の防水シートは、前記傾斜屋根面の前記第二の防水シート上に延伸し、
前記ガルバリウム鋼板（登録商標）の前記裾部を覆う前記第一の防水シートは、前記第二の防水シートに水密に接着される雪止め部材。
【請求項２】
複数の前記雪止め部材が前記傾斜方向に対する垂直方向において横並びに前記長手方向の寸法より大きい間隔で配置されて一つの列をなし、該列が前記傾斜方向に沿って複数設けられ、各列の前記雪止め部材は前後の前記列の前記雪止め部材が配置されていない位置にずらして配置される請求項１記載の雪止め部材。
【発明の詳細な説明】
【技術分野】
【０００１】
本発明は、傾斜屋根に積もった雪が落下することを抑止する雪止め部材に関する。
【背景技術】
【０００２】
従来、傾斜屋根に積もった大量の雪が一気に落下することにより、落下先にある物品を損壊したり、人命に危険を及ぼすこともあった。
【０００３】
そこで、傾斜屋根に積もった雪が落下することを抑止して、落下した場所からの除雪の必要性や落下に伴う危険を低減する雪止め部材が求められていた。
【０００４】
関連技術として、屋根面を可撓性の合成樹脂材から成る防水シートで被覆して形成してあり、その防水シートの外面上に突出して屋根面上の積雪に対して係止可能な係止面部を備えて、積雪が屋根から落下するのを防止する雪止め部材を、屋根面下方の構造体に貫入固定自在な固定具により固定して、雪止め部を形成してあるシート被覆屋根において、雪止め部を簡単に形成可能としながら、その防水性能を劣化させないようにするために、雪止め部材の、少なくとも係止面部から固定具による固定部にわたる領域を、防水シートとは別体の、可撓性の合成樹脂材から成る防水被覆材で覆うと共に、防水被覆材を、係止面部から固定部にわたる領域及びその領域から棟側にかけて、雪止め部材の周縁部を覆うように配置して、防水被覆材の周縁部を、防水シートに水密に接着する技術が提案されている（特許文献１参照）。
【先行技術文献】
【特許文献】
【０００５】
【特許文献１】特開２０００−３５２１６１号公報
【発明の概要】
【発明が解決しようとする課題】
【０００６】
しかしながら、特許文献１に記載の技術では、特定の形状の雪止め部材を防水被覆材としての防水シートで覆うために型抜きで防水シートを成型する必要がありコストも手間もかかる。
また、特許文献１に記載の技術では、特定の形状の雪止め部材を多数、屋根の下地部分から固定する必要があり余計な手間が発生する。
また、特許文献１に記載の技術では、木材とガルバリウム鋼板（登録商標）と金属製の補強板を組み合わせた構成を開示するものではなく、ガルバリウム鋼板（登録商標）の材質によるメリットを含めて種々の利点が生じることについてはなんらの示唆も開示もない。
また、特許文献１に記載の技術では、雪止め部材の特定の形状による雪止め機能の向上や屋根を流れる雨水・雪解け水のコントロールについてもまったく開示はなく、改良の余地が大きかった。
【０００７】
本発明の目的は、低コストで強度を高めつつ、組み立てや取り扱いが容易で、雪止め機能の向上が図られ、屋根を流れる雨水・雪解け水をコントロール可能な雪止め部材を提供することにある。
【課題を解決するための手段】
【０００８】
本発明の雪止め部材は、
長尺の略四角錐体の木材と、裾部を有する断面略下向きコ字状の長尺のガルバリウム鋼板（登録商標）と該ガルバリウム鋼板（登録商標）の外面を覆う第一の防水シートと、断面略Ｓ字状の補強金属板とからなり、
前記木材は、傾斜屋根面に敷設された第二の防水シート上に、前記傾斜屋根面の傾斜方向に対して所定の角度で横長の状態で載置され、前記傾斜屋根面に第一の固定具で固定され、
前記補強金属板は、前記木材の一部を覆い、前記木材に第二の固定具で固定され、かつ、前記第二の防水シートに当接する面が前記傾斜屋根面に第三の固定具で固定され、
前記ガルバリウム鋼板（登録商標）および前記第一の防水シートは、前記ガルバリウム鋼板（登録商標）の前記断面略下向きコ字状の内部に前記木材および前記補強金属板を収納するように覆い、かつ、前記第一の防水シートは、前記木材の前記横長の状態における左右側面も覆い、
前記ガルバリウム鋼板（登録商標）の前記裾部および前記第一の防水シートは、前記傾斜屋根面の前記第二の防水シート上に延伸し、
前記ガルバリウム鋼板（登録商標）の前記裾部を覆う前記第一の防水シートは、前記第二の防水シートに水密に接着される。
【０００９】
このように構成することで、木材は安価で入手容易な点に加えて、ガルバリウム鋼板（登録商標）は、安価で、加工しやすく、軽量であるという利点があるので、低コストで強度を高めつつ、組み立てや取り扱いが容易で、かつ、雪止め機能の向上が図られる。また、木材の短手方向の断面の縦横の比率が略１対２であり、その横方向の面が下面をなすこととすれば、安価で入手容易な２×４材のような「２×材（ツーバイ材）」を利用することで低コストを実現でき、また、傾斜屋根面の傾斜方向に対する雪止め部材の奥行きが確保され、積もった雪が傾斜屋根面を滑り落ちようとする圧力に対する強度を高めることができる。
また、雪止め部材は、基本となる木材が長尺であるため、全体としても長尺となり、多数の部材が不要となり設置作業の手間が軽減される。
また、雪止め部材の長さ寸法は、短くも長くも現場に適合させて設計することができる。例えば、６００ｍｍから２０００ｍｍ程度を標準とし、さらに４０００ｍｍ程度の長さであってもよい。
また、雪止め部材は、基本となる木材が長尺であるため、全体としても長尺となり、傾斜屋根面の傾斜方向に対して所定の角度で（左右の水平方向から少し傾けて）横長の状態で載置されると、左右の低い方に水を集めることができ、傾斜屋根面を流れる雨水や雪解け水等のコントロールが可能となる。いわば樋の役目も果たすことができる。さらに、左右の水平方向に傾きが無い完全な水平だと長尺の左右両方に水が流れるがそれでもよい場合もある。
また、ガルバリウム鋼板（登録商標）および第一の防水シートは、予め別の場所で平板のガルバリウム鋼板（登録商標）を裾部を有する断面略下向きコ字状に折り曲げ加工して、そこに第一の防水シートが外面を覆うように組み合わせて準備しておき、その一体となった部材を現場で、傾斜屋根面に敷設された第二の防水シート上に載置された木材および補強金属板に、カパッと嵌めるだけで済むので、現場での作業が容易となる。また、予め別の場所でガルバリウム鋼板（登録商標）および第一の防水シートを組み合わせて準備することができるので天気に左右されなく品質が均一に保持されるという効果も生じる。さらに、第一の防水シートを特定の複雑な形状に成型する必要がないため、例えば、傾斜屋根面に敷設する第二の防水シートの端材を第一の防水シートとして利用することが可能で経済的なメリットが大きい。
また、ガルバリウム鋼板（登録商標）の裾部を覆う第一の防水シートは、第二の防水シートに水密に接着されることでよいので、現場で防水シート同士を溶着等するだけの簡単な作業で完成させることができる。
また、別体の補強金属板が、ネジ、釘、ビス等の固定具で木材と屋根に固定されるので、強度が引き出され、積もった雪が傾斜屋根面を滑り落ちようとする圧力に効果的に対抗することができる。
また、断面が上面より下面が大きい略台形状となる状態で配置されるため、下の方が積もった雪の圧力が大きいため、それに耐えて、傾斜屋根面を滑り落ちようとする圧力に効果的に対抗することで雪止め機能の向上が図られる。さらに、断面が略台形状で、いわば末広がりであるため機械で第一の防水シートをガルバリウム鋼板（登録商標）に組み合わせる（巻き付ける）際に矩形の直角と比較して角度が大きいため作業の精度を保つことが容易となる
【００１０】
また、本発明の雪止め部材は、
複数の前記雪止め部材が前記傾斜方向に対する垂直方向において横並びに前記長手方向の寸法より大きい間隔で配置されて一つの列をなし、該列が前記傾斜方向に沿って複数設けられ、各列の前記雪止め部材は前後の前記列の前記雪止め部材が配置されていない位置にずらして配置される。
【００１１】
このように構成することで、少ない雪止め部材でそれらの耐久性を確保しながら、効率的に雪止め機能を向上させることができる。
【発明の効果】
【００１２】
本発明によれば、低コストで強度を高めつつ、組み立てや取り扱いが容易で、雪止め機能の向上が図られ、屋根を流れる雨水・融雪水をコントロール可能な雪止め部材を提供することができる。
【図面の簡単な説明】
【００１３】
【図１】本発明の実施の形態に係る雪止め部材の構成を示す図である。
【図２】本発明の実施の形態に係る雪止め部材の各部の構成を示す断面図である。
【図３】本発明の実施の形態に係る雪止め部材の構成を示す断面図である。
【図４】本発明の実施の形態に係る複数の雪止め部材の使用態様を示す図である。
【発明を実施するための形態】
【００１４】
以下、本発明の実施の形態を図面を参照しつつ説明する。
図１、図２および図３を参照すると、本実施形態の雪止め部材１は、基本的には概略、長尺の略四角錐体の木材１０と、断面略Ｓ字状の補強金属板２０と、裾部を有する断面略下向きコ字状の長尺のガルバリウム鋼板（登録商標）３０と、第一の防水シート４０とから構成されている。
【００１５】
木材１０は、長尺の略四角錐体の形状であり、例えば、略直方体の短手方向の断面の縦横の比率が略１対２である、２×４材：ツーバイフォー材を利用・加工して形成することであってもよい。寸法は、一例として、高さ約３５ｍｍ、奥行き約９０ｍｍ、幅約６００ｍｍなどである。６００ｍｍから２０００ｍｍ程度を標準とし、短くも長くも現場に適合させて設計することができるので、さらに４０００ｍｍ程度の長さとしてもよい。安価で入手容易な２×４材のような「２×材（ツーバイ材）」を利用することで低コストを実現でき、また、傾斜屋根５０の傾斜屋根面の傾斜方向に対する雪止め部材の（高さ寸法に対する相対的な）奥行きが確保され、積もった雪が傾斜屋根面を滑り落ちようとする圧力に対する強度を高めることができる。
木材１０は、傾斜屋根面の第二の防水シート６０上に、傾斜屋根面の傾斜方向に対して所定の角度で横長の状態で載置され、傾斜屋根面にネジ、釘、ビス等の第一の固定具で固定される。
雪止め部材１は、基本となる木材１０が長尺であるため、全体としても長尺となり、多数の部材が不要となり設置作業の手間が軽減され、また、長尺の木材１０が所定の角度で（左右の水平方向から少し傾けて）横長の状態で載置されると、左右の低い方に水を集めることができ、傾斜屋根面を流れる雨水や雪解け水等のコントロールが可能となる。いわば樋の役目も果たすことができる。さらに、左右の水平方向に傾きが無い完全な水平だと長尺の左右両方に水が流れるがそれでもよい場合もある。
【００１６】
断面略Ｓ字状の補強金属板２０は、例えば厚み寸法は約０．６ｍｍの板状の塩ビ鋼板等を、折り曲げ加工して断面略Ｓ字状を形成する３面のうち連続する上方２面により木材１０の一部を覆う形状としている。一例として、木材１０が、高さ約３５ｍｍ、奥行き約９０ｍｍ、幅約６００ｍｍである場合、補強金属板２０は、高さ約３７ｍｍ、奥行き約４５ｍｍ、幅約５５０ｍｍである。基本的には傾斜屋根面の上方側から木材１０の一部を覆うことで、強度が引き出され、積もった雪が傾斜屋根面を滑り落ちようとする圧力に効果的に対抗することができる。なお、傾斜屋根面の下方側から木材１０の一部を覆うことであってもよい。そして、補強金属板２０の最上方の１面は木材１０にネジ、釘、ビス等の第二の固定具で固定され、かつ、第二の防水シート６０に当接する補強金属板２０の最下方の１面が傾斜屋根面にネジ、釘、ビス等の第三の固定具で固定される。積もった雪が傾斜屋根面を滑り落ちようとする圧力に対する強度を確保するためである。
【００１７】
ガルバリウム鋼板（登録商標）３０は、例えば厚み寸法は約１．０ｍｍの板状のものを、裾部を有する断面略下向きコ字状の長尺の形状にしてなる。すなわち傾斜屋根面に敷設された第二の防水シート上に載置された木材に、カパッと嵌めることができる形状である。なお、ガルバリウム鋼板（登録商標）３０の両方の裾部は、傾斜屋根面の第二の防水シート６０上に延伸する。第一の防水シート４０のいわば心材として木材１０の形状に沿って覆うこととなる。ガルバリウム鋼板（登録商標）３０は、一般的な高価な塩ビ鋼材よりも安価で、加工しやすく、軽量であるという利点があるので、低コストで強度を高めつつ、組み立てや取り扱いが容易で、かつ、雪止め機能の向上が図られる。
【００１８】
第一の防水シート４０は、例えば、塩ビシート（塩化ビニル系樹脂シート）である。その他、雨水、雪解け水を透過しない構造、耐寒性、耐候性を備え、さらに所定の形状に追随することのできる適度の収縮性および弾力性があるものであれば、いかなる種類のものを用いてもよい。なお、傾斜屋根面に敷設されている第二の防水シート６０の端材を第一の防水シート４０として利用することが可能であるので費用節約のメリットが生じる。
また、予め別の場所で平板のガルバリウム鋼板（登録商標）３０を裾部を有する断面略下向きコ字状に折り曲げ加工して、そこに第一の防水シート４０が外面を覆うように組み合わせて（巻き付けるように付して）準備しておくことであってもよい。その際、木材１０の断面が略台形状で、いわば末広がりであり、ガルバリウム鋼板（登録商標）３０の断面略下向きコ字状もそれに沿った形状であるため、機械で第一の防水シート４０をガルバリウム鋼板（登録商標）３０に付す際に矩形の直角と比較して角度が大きいため作業の精度を保つことが容易となっている。そして、その一体となった部材を現場で、傾斜屋根面に敷設された第二の防水シート６０上に載置された木材１０および補強金属板２０に、上方からカパッと嵌める、すなわちガルバリウム鋼板（登録商標）３０の断面略下向きコ字状の内部に木材１０および補強金属板２０を収納するようにするだけで済むので、現場での作業が極めて容易となる。また、予め別の場所でガルバリウム鋼板（登録商標）３０および第一の防水シート４０を組み合わせて準備することができるので天気（特に雨天）に左右されなく品質が均一に保持される。
【００１９】
第一の防水シート４０は、木材１０の横長の状態における左右側面も覆うように、横幅に余裕を持たせておき、現場で必要に応じて切り込み、カット、接着されながら木材１０の両側面を覆うことであってもよい。
第一の防水シート４０は、傾斜屋根面の第二の防水シート６０上に延伸する。そして、ガルバリウム鋼板（登録商標）３０の裾部を覆う第一の防水シート４０の裾部は、第二の防水シート６０に水密に接着される。
防水シートの溶着は、剥がれることなく固着することのできる方法であれば、いかなる方法による溶着工法をも用いることができる。現場で防水シート同士を溶着等するだけの簡単な作業で完成させることも可能となる。
【００２０】
第二の防水シート６０は、例えば、塩ビシートである。第一の防水シート４０と同一のものであってよく、そのようにすれば第二の防水シート６０の端材を第一の防水シート４０として利用することも可能で経済的なメリットが生じる。なお、傾斜屋根面の第二の防水シート６０の下層として下地構造用合板（１２ｍｍ）などが設けられていてもよい。
【００２１】
次に、図４を参照して、複数の雪止め部材１の使用態様の一例を説明する。図４では図の上側から下側に向かって下りの傾斜がついているものとする（図４の上側が一番高い位置。）。
複数の雪止め部材１が傾斜屋根５０の傾斜方向に対する垂直方向において横並びに雪止め部材１の長手方向の寸法より大きい間隔（ここでは例えば、９００ｍｍである。）で配置されて一つの列（横一列）をなし、その列が傾斜屋根の傾斜方向に沿って複数設けられ（一番高い位置に横一列、やや低い位置に横一列、一番低い終端部に横一列。）、各列の雪止め部材１は前後の列の雪止め部材１が配置されていない位置に交互にずらして配置されている。したがって、少ない雪止め部材１の数でそれらの耐久性を確保しながら、効率的に雪止め機能を確保・向上させることとなる。なお、雪止め部材１は、断面が上面より下面が大きい略台形状となる状態で配置されるため、下の方が積もった雪の圧力が大きいため、それに耐えて、傾斜屋根面を滑り落ちようとする圧力に効果的に対抗することで雪止め機能の向上が図られる。
複数の雪止め部材１の配置は、上記のものに限らないが、適宜分散して配置されるようにすると少ない雪止め部材１の数で効率的に雪止め機能を発揮することができる。
なお、複数の雪止め部材１が傾斜屋根５０の傾斜方向に対する垂直方向において横並びに雪止め部材１の長手方向の寸法より小さい間隔で配置されて一つの列（横一列）をなすと、傾斜屋根面を流れる雨水や雪解け水等のコントロールが全体として容易となり、いわば樋の役目も効果的に果たすことができる。
【００２２】
その他、一々例示はしないが、本発明は、その趣旨を逸脱しない範囲内において、各構成部分の大きさや形状を含む種々の変更が加えられて実施されてよい。例えば、木材１０は、略直方体等の任意の長尺の部材であってもよく、また木材１０の代わりに板金が用いられてもよい。
【符号の説明】
【００２３】
１        雪止め部材
１０      木材
２０      補強金属板
３０      ガルバリウム鋼板（登録商標）
４０      第一の防水シート
５０      傾斜屋根
６０      第二の防水シート
【図１】
2020063591.tif 000003
【図２】
2020063591.tif 000004
【図３】
2020063591.tif 000005
【図４】
2020063591.tif 000006
【手続補正書】
【提出日】平成30年12月14日(2018.12.14)
【手続補正２】
【補正対象書類名】明細書
【補正対象項目名】０００８
【補正方法】変更
【補正の内容】
【０００８】
本発明の雪止め部材の設置構造は、
長尺の略四角錐体の木材と、裾部を有する断面略下向きコ字状の長尺のガルバリウム鋼板（登録商標）と該ガルバリウム鋼板（登録商標）の外面を覆う第一の防水シートと、断面略Ｓ字状の補強金属板とからなる雪止め部材の設置構造であって、
前記木材は、傾斜屋根面に敷設された第二の防水シート上に、前記傾斜屋根面の傾斜方向に対して所定の角度で横長の状態で載置され、前記傾斜屋根面に第一の固定具で固定され、
前記補強金属板は、前記木材の一部を覆い、前記木材に第二の固定具で固定され、かつ、前記第二の防水シートに当接する面が前記傾斜屋根面に第三の固定具で固定され、
前記ガルバリウム鋼板（登録商標）および前記第一の防水シートは、前記ガルバリウム鋼板（登録商標）の前記断面略下向きコ字状の内部に前記木材および前記補強金属板を収納するように覆い、かつ、前記第一の防水シートは、前記木材の前記横長の状態における左右側面も覆い、
前記ガルバリウム鋼板（登録商標）の前記裾部および前記第一の防水シートは、前記傾斜屋根面の前記第二の防水シート上に延伸し、
前記ガルバリウム鋼板（登録商標）の前記裾部を覆う前記第一の防水シートは、前記第二の防水シートに水密に接着される。
【手続補正３】
【補正対象書類名】明細書
【補正対象項目名】００１０
【補正方法】変更
【補正の内容】
【００１０】
また、本発明の雪止め部材の設置構造は、
複数の前記雪止め部材が前記傾斜方向に対する垂直方向において横並びに前記雪止め部材の長手方向の寸法より大きい間隔で配置されて一つの列をなし、該列が前記傾斜方向に沿って複数設けられ、各列の前記雪止め部材は前後の前記列の前記雪止め部材が配置されていない位置にずらして配置される。
【手続補正４】
【補正対象書類名】特許請求の範囲
【補正対象項目名】全文
【補正方法】変更
【補正の内容】
【特許請求の範囲】
【請求項１】
長尺の略四角錐体の木材と、裾部を有する断面略下向きコ字状の長尺のガルバリウム鋼板（登録商標）と該ガルバリウム鋼板（登録商標）の外面を覆う第一の防水シートと、断面略Ｓ字状の補強金属板とからなる雪止め部材の設置構造であって、
前記木材は、傾斜屋根面に敷設された第二の防水シート上に、前記傾斜屋根面の傾斜方向に対して所定の角度で横長の状態で載置され、前記傾斜屋根面に第一の固定具で固定され、
前記補強金属板は、前記木材の一部を覆い、前記木材に第二の固定具で固定され、かつ、前記第二の防水シートに当接する面が前記傾斜屋根面に第三の固定具で固定され、
前記ガルバリウム鋼板（登録商標）および前記第一の防水シートは、前記ガルバリウム鋼板（登録商標）の前記断面略下向きコ字状の内部に前記木材および前記補強金属板を収納するように覆い、かつ、前記第一の防水シートは、前記木材の前記横長の状態における左右側面も覆い、
前記ガルバリウム鋼板（登録商標）の前記裾部および前記第一の防水シートは、前記傾斜屋根面の前記第二の防水シート上に延伸し、
前記ガルバリウム鋼板（登録商標）の前記裾部を覆う前記第一の防水シートは、前記第二の防水シートに水密に接着される雪止め部材の設置構造。
【請求項２】
複数の前記雪止め部材が前記傾斜方向に対する垂直方向において横並びに前記雪止め部材の長手方向の寸法より大きい間隔で配置されて一つの列をなし、該列が前記傾斜方向に沿って複数設けられ、各列の前記雪止め部材は前後の前記列の前記雪止め部材が配置されていない位置にずらして配置される請求項１記載の雪止め部材の設置構造。